(57)【要約】【課題】  壁面が水平面に対して直立でなくても取り付ける事が可能な支持具内で回転させることで水平状態に出来、横滑り防止を目的とした断面略半円状の収納容器を提供する。【解決手段】  支持具をリング１と棒状体２により円柱状に構成し、円柱の母線が重力方向に対し水平となるよう取り付ける。収納容器は、略半円状の側板３と断面略半円状の底板４で構成し、側板３の上縁の長さをリング内径以下の長さとし、収納容器の高さをリング内径の半分以下とする。側板３の下部を底板４下部より突出させ、収納容器の長さ方向の長さを支持具両端間の長さより短くする。これらにより、収納後重力により収納容器の底部が支持具の内底部と接触し支持具内に確実に収納され、リング内側と収納容器の側板を接触させる事で、支持具が傾いた時の横滑りを防止させる。【選択図】      図２
2015024840.tif 000002
【特許請求の範囲】
【請求項１】
３個以上のリング１とリング１を固定する棒状体２により円柱状に構成される支持具と、略半円状の側板３と断面略半円状の底板４により構成される容器において、
収納容器の側板３の上縁Ａをリング１の内径以下とし且つ、収納容器の底板４の高さをリング１の内径の半径より小さくし、側板３の下部を底板の下部より高くし、収納容器の長さ方向の長さＣを、支持具の両端間の長さより短くしたことを特徴とする収納容器。
【請求項２】
収納容器を、支持具へスライドさせ収納するものとし、スライド後、重力により容器の底がリング内底部に接触し支持具内に容器が収まり、リング１内側と側板３に接触部分ができ、支持具が傾いても横滑りしないようにしたことを特徴とする請求項１記載の収納容器。
【請求項３】
Ｓ字フック５で壁面の突出部と支持具のリング１または／および棒状体２とを固定することにより、水平方向に対して直立でなくても、取り付けることを特徴とする請求項１または請求項２記載の収納容器。
【発明の詳細な説明】
【技術分野】
【０００１】
本発明は、壁面が水平面に対し直立でなくても取り付ける事が出来る支持具内で回転させることで水平状態にでき、横滑り防止を目的とした収納容器に関するものである。
【背景技術】
【０００２】
従来の、容器を収納し壁面へ取り付ける支持具は、容器を上から収納するため、支持具の背面と底部は垂直となるよう構成されている（図８参照）。
【０００３】
そのため、従来の容器を収納し壁面へ取り付ける支持具は、壁面が水平面に対して直立でなければならないという欠点があった。また、円筒状の支持具に収納する容器は、支持具が傾くと横滑りするという欠点があった。
【先行技術文献】
【特許文献】
【０００４】
【特許文献１】意匠登録第１４３５２４９号公報
【発明の概要】
【発明が解決しようとする課題】
【０００５】
本発明は、以上のような従来の欠点に鑑み、取り付ける壁面が水平に対して直立でない場合でも、収納容器を支持具横からスライドさせ、支持具内で回転させる事により水平に保つ事が可能で且つ、支持具のリングと収納容器の略半円状の側板を接触させることで横滑りさせない収納容器を提供することを目的としている。
【課題を解決するための手段】
【０００６】
本発明の支持具は、３個以上のリングとリングを固定する棒状体により円柱状に構成する。円柱の母線が重力方向に対し水平となるよう壁面に取り付ける。  
本発明の収納容器は、略半円状の側板と断面略半円状の底板により構成する。収納容器の側板の上縁の長さをリングの内径以下とする。リング内で底部から水平線を引いた場合、底部に近いほど、水平線の長さは短くなるため、側板の上縁の両端は、リングの底部に対し距離が短い位置ほどリングとの接触部分が増える事になる。底板の高さをリング内径の半分より低くし、側板の下部を底板下部より長くすることで、側板の下部もリング内の下部と接触し、落下防止機能を得る。収納容器の長さ方向の長さを、支持具の両端間の長さより短くし、支持具内に収納することを特徴とする。
【発明の効果】
【０００７】
以上の説明から明らかなように、本発明では、支持具内に収納容器をスライド収納後、支持具内で回転させる事で収納容器を水平に収納する事ができる。
また、収納容器底板の高さをリング内径の半分より低くする事と、略半円状の側板の下部を底板下部より長くすることで、収納後、重力により収納容器の底が支持具の内底部に接触し、支持具内に収納容器が収まり、収納容器の側板とリングにおいて接触部分が出来るため、支持具が傾いても横滑りが防止される。
【図面の簡単な説明】
【０００８】
【図１】本発明に係る支持具の斜視図。
【図２】本発明に係る支持具および収納容器の斜視図。
【図３】本発明に係る収納容器の正面図。
【図４】本発明に係る収納容器の斜視図。
【図５】本発明に係る支持具および収納容器の正面図。
【図６】本発明に係る支持具および収納容器の実施態様を示す側面図。
【図７】本発明に係る支持具の別の例を示す正面図。
【図８】従来の支持具の実施態様の側面図。
【発明を実施するための形態】
【０００９】
本発明は、図１で示されるように、３個以上のリング１と棒状体２により、円柱状に構成された支持具に、略半円状の側板３と断面略半円状の底板４とで構成された収納容器を、図２で示されるように収納し、図６に示されるように、壁面に取り付ける。
【実施例１】
【００１０】
図１−図６に示されるように、複数のリング１と棒状体２により、円柱状に支持具を構成する。
上縁がリング１の内径以下の長さの略半円状の側板３と、高さがリング１の内径の半分以下の断面略半円状の底板４により、収納容器を構成する。
収納容器の側板３の上縁Ａをリング１の内径以下とし且つ、収納容器の底板４の高さをリング１の内径の半径より小さくし、側板３の下部を底板の下部より高くし、収納容器の長さ方向の長さＣを、支持具の両端間の長さより短くしてある。
図６に示すように、水平面に対し直立でない壁面に、支持具のリング１または棒状体２をＳ字フックＦで取り付ける。
支持具の横から、リング１内の位置で収納容器をスライドさせる。収納容器を回転させ水平にし、収納容器は重力によって、支持具底部へ収納される。
収納容器の略半円状の側板３とリング１内部には接触部分が出来、支持具が傾いた時の横滑りを防止する。
【実施例２】
【００１１】
図７に示されるように、リング１を６個使用しても、実施例１と同様の作用、効果が得られる。
【００１２】
なお、前記実施例１、２は、リング１を３個または６個、と棒状体２を３個使用するものであるが、１個のはり金、鉄線を屈曲させ、３個−６個のリングと３個の棒状体とを一体に成形することは自明である。
【００１３】
以上本発明の実施例について説明したが、本発明はこのような実施例に何等限定されるものでなく、本発明の要旨を逸脱しない範囲において種々なる態様で実施し得ることはもちろんである。
【産業上の利用可能性】
【００１４】
本発明は、プランターを支持する用途以外に本、衣服、小物などの収納具として利用できる。
【符号の説明】
【００１５】
１  リング
２  棒状体
３  側板
４  底板
５  Ｓ字フック
Ａ  ３の上縁
【図１】
2015024840.tif 000003
【図２】
2015024840.tif 000004
【図３】
2015024840.tif 000005
【図４】
2015024840.tif 000006
【図５】
2015024840.tif 000007
【図６】
2015024840.tif 000008
【図７】
2015024840.tif 000009
【図８】
2015024840.tif 000010